(57)【要約】【課題】軸線方向にコンパクトにできしかも面取り作業をさらに安定して行い得る面取り工具を提供すること。【解決手段】面取り工具１は、切刃２と、切刃２を保持しかつパイプ１０１の端部が挿入される筒状の面取り部３と、面取り部３を回転させる際に作業者が操作する操作ハンドル４と、前記面取り部３と前記操作ハンドル４とを連結する、面取り部３及び操作ハンドル４よりも外径が小さい軸部５とを備えている。面取り部３は切刃２を保持するための切刃収容部１１を有している。切刃収容部１１において操作ハンドル４側の端部は、面取り部３から軸部５の外周面に突出されている。【選択図】  図１
2019118994.tif 000002
【特許請求の範囲】
【請求項１】
切刃と、当該切刃を保持しかつパイプの端部が挿入される筒状の面取り部と、当該面取り部を回転させる際に作業者が操作する操作ハンドルと、前記面取り部と前記操作ハンドルとを連結する、当該面取り部及び当該操作ハンドルよりも外径が小さい軸部とを備えた面取り具において、
前記面取り部は前記切刃を保持するための切刃収容部を有し、当該切刃収容部において前記操作ハンドル側の端部は、前記面取り部から前記軸部の外周面に突出されている面取り工具。
【発明の詳細な説明】
【技術分野】
【０００１】
本発明は、パイプ端部の面取りを行うための面取り工具に関する。
【背景技術】
【０００２】
特許文献１には、切刃を有しかつ被加工パイプの端部が挿入される筒状の部分と、筒状の部分を回転操作する際に手で握るための円板状の回転トルク付加握り部と、筒状の部分と回転トルク付加握り部とを連結する軸状の部分とを備えた面取り工具が開示されている。
【先行技術文献】
【特許文献】
【０００３】
【特許文献１】特開２００２−２３９８２５号公報
【発明の概要】
【発明が解決しようとする課題】
【０００４】
このような面取り工具において、軸線方向に長尺の切刃を取り付けようとする場合、筒状の部分ひいては面取り具が軸線方向に長くなる問題があった。面取り工具が軸線方向に長くなると、回転トルク付加握り部による回転操作が不安定となる等、面取り作業に悪影響を与える危惧がある。
本発明の目的は、軸線方向にコンパクトにできしかも面取り作業をさらに安定して行い得る面取り工具を提供すること。
【課題を解決するための手段】
【０００５】
上記目的を達成するために請求項１の発明の面取り工具は、切刃と、当該切刃を保持しかつパイプの端部が挿入される筒状の面取り部と、当該面取り部を回転させる際に作業者が操作する操作ハンドルと、前記面取り部と前記操作ハンドルとを連結する、当該面取り部及び当該操作ハンドルよりも外径が小さい軸部とを備えた面取り工具において、前記面取り部は前記切刃を保持するための切刃収容部を有し、当該切刃収容部において前記操作ハンドル側の端部は、前記面取り部から前記軸部の外周面に突出されている。
【発明の効果】
【０００６】
上記構成の請求項１の発明によれば、切刃収容部の一部が軸部の外周面まで突出されているため（換言すれば軸部の外周面の一部を切刃収容部の配置に利用しているため）、軸線方向に長尺の切刃であっても、面取り部の全体が長くなることひいては面取り工具が長くなることを防止できる。軸線方向にコンパクトな面取り工具は、操作ハンドルの回転操作ひいては面取り作業を安定して行い得る。また、切刃収容部において軸部の外周面に突出した部分を、操作ハンドルを回転操作する際に指を引っ掛ける部分として利用することができ、操作ハンドルの回転操作ひいては面取り作業をさらに安定して行い得る。
【図面の簡単な説明】
【０００７】
【図１】一実施形態の面取り工具の正面図。
【図２】面取り工具の背面図。
【図３】面取り工具の平面図。
【図４】面取り工具の底面図。
【図５】面取り工具の左側面図。
【図６】面取り工具の右側面図。
【図７】パイプを挿入した状態での面取り工具の断面図。
【図８】面取り工具の使用方法を説明するための図。
【発明を実施するための形態】
【０００８】
以下、本発明を具体化した一実施形態について図面を参照しつつ説明する。
図８に示すように、給水給湯配管に用いられる樹脂パイプ１０１は、継手（図示しない）に挿入・接続されるものであって、当該継手への挿入力軽減のために、樹脂パイプ１０１の端部外周縁を面取りすることがある。この樹脂パイプ１０１の端部外周縁の面取りに、本実施形態の面取り工具１が用いられる。
【０００９】
図１及び図７に示すように、面取り工具１は、切刃２と、切刃２を保持する円筒状の面取り部３と、作業者が操作する際の手掛かりとなる円筒状の操作ハンドル４と、面取り部３と操作ハンドル４とを連結する円筒状の軸部５とを備えている。面取り部３と操作ハンドル４と軸部５は、同一の軸線Ｌ上に配置されているとともに、合成樹脂材料によって一体成形されている。図７に示すように、面取り工具１の軸線Ｌ位置には、肉抜き孔１３が形成されている。肉抜き孔１３は、面取り部３の内部から軸部５の内部を介して操作ハンドル４の内部に至り、操作ハンドル４の端面で開口されている。
【００１０】
図１〜図４及び図７に示すように、面取り部３は、樹脂パイプ１０１が挿入される円筒状の外筒６と、樹脂パイプ１０１に挿入される円柱状の案内柱７と、外筒６の基端と案内柱７の基端との間を連結する円環状の底板８とを、同一の軸線Ｌ上に備えている。図６及び図７に示すように、外筒６の内周面と案内柱７の外周面と底板８の端面とで囲まれることで、円環状の挿入空間９が軸線Ｌ方向に形成されている。案内柱７は、樹脂パイプ１０１への挿入を容易とするために、先端部７ａが挿入空間９から突出されているとともに、先端部７ａの外周縁がＲ面とされている。
【００１１】
図１〜図５及び図７に示すように、操作ハンドル４の外周面には凹部４ａが形成されている。凹部４ａは、軸線Ｌ方向へと直線状に延びる長溝からなるとともに、複数が周方向に等間隔で配置されている。この複数の凹部４ａは、作業者が操作ハンドル４を回転操作する際の滑り止めとなる。
【００１２】
図１〜図４及び図７に示すように、軸部５は、面取り工具１の操作を行い易くするために、面取り部３と操作ハンドル４とを適度に離間させるためのものである。軸部５は、面取り工具１を構成する肉量の軽減や操作ハンドル４の握り易さ等を考慮し、外径が面取り部３の外径および操作ハンドル４の外径よりも小さくなっている。したがって、面取り部３と操作ハンドル４との間には、軸線Ｌを中心とした円環状の突出用空間５ａが軸線Ｌ方向に形成されている。
【００１３】
図１及び図７に示すように、面取り部３において外筒６の外周面と、軸部５の外周面とに跨って、切刃収容部１１が形成されている。換言すれば、面取り部３に設けられた切刃収容部１１は、一部が面取り部３から軸部５の外周面に突出されており（以下、突出部分１１ａとする）、突出用空間５ａは突出部分１１ａによって環状が一部で離断されている。
【００１４】
切刃収容部１１は、切刃２を収容・保持するための保持凹所１２を備えている。保持凹所１２は、正面視（図１の状態）にて軸線Ｌ方向へと直線状に延びるとともに、底面視（図７の状態）にて操作ハンドル４側ほど軸線Ｌに近づくように当該軸線Ｌ方向へと直線状に延びている。保持凹所１２の底面において面取り部３側の端部には、保持凹所１２の内空間と挿入空間９とを連通する刃物口１２ａが形成されている。保持凹所１２の底面において長手方向の中間部分には、ねじ穴１２ｂが形成されている。
【００１５】
切刃２は、矩形板状をなすとともに、短手方向の一端縁に刃先２ａが付けられている。切刃２において長手方向の中間位置には、ねじ孔２ｂが形成されている。切刃２は、切刃収容部１１の保持凹所１２に収容されている。保持凹所１２に収容された切刃２は、保持凹所１２のねじ穴１２ｂにねじ孔２ｂが一致する。この一致したねじ孔２ｂ及びねじ穴１２ｂに挿入されたねじ１５によって、切刃２は保持凹所１２に固定されている。切刃収容部１１に収容・固定された切刃２は、刃先２ａの一部が、刃物口１２ａを介して挿入空間９に露出されている。なお、保持凹所１２の内面において刃物口１２ａの近傍には、切刃２の刃先２ａと対向するように、排出凹所１２ｃが形成されている。
【００１６】
前述したように、保持凹所１２の底面は、操作ハンドル４に近づくにつれて軸線Ｌに近づくように、軸線Ｌに対して傾斜されている。したがって、切刃収容部１１に収容・保持された切刃２（刃先２ａ）も、操作ハンドル４に近づくにつれて軸線Ｌに近づくように、軸線Ｌに対して傾斜されている。この切刃２の傾斜に応じて、挿入空間９の底板８付近は、底板８側が小径となるテーパ状に形成されている。
【００１７】
図７及び図８に示すように、本実施形態の面取り工具１を用いて樹脂パイプ１０１の面取りを行うには、面取り部３の挿入空間９に樹脂パイプ１０１を挿入して、樹脂パイプ１０１の先端を切刃２に当接させる。この状態で、操作ハンドル４を介して面取り工具１を回転させ、面取り工具１と樹脂パイプ１０１とを相対回転させると、樹脂パイプ１０１の先端に対して傾斜した切刃２が、当該先端の外周縁を削って面取りを行う。このとき発生する樹脂パイプ１０１の削り屑は、排出凹所１２ｃを介して外部へと排出される。
【００１８】
そして、面取り工具１と樹脂パイプ１０１との相対回転を所定回転数行うことで、樹脂パイプ１０１が挿入空間９を軸線Ｌ方向へと進んでやがては底板８に当接し、よって樹脂パイプ１０１の先端は、挿入空間９の奥側のテーパ状に沿った形状で面取りが施されることになる。
【００１９】
以上詳述したように本実施形態の面取り工具１は、軸部５の外周面の一部を切刃収容部１１の配置に利用している。したがって、軸線Ｌ方向に長尺の切刃２であっても、面取り部３が軸線Ｌ方向に長くなることなく、よって面取り工具１をコンパクトにできる。軸線Ｌ方向にコンパクトな面取り工具１は、操作ハンドル４の回転操作ひいては面取り作業を安定して行い得る。
【００２０】
また、切刃収容部１１において軸部５の外周面への突出部分１１ａを、操作ハンドル４を回転操作する際に指を引っ掛ける部分として利用することができる。したがって、操作ハンドル４の回転操作ひいては面取り作業をさらに安定して行い得る。
【００２１】
＜変形例＞
なお、本発明は、例えば次の態様でも実施可能である。
○案内柱７を別体とすること。そして、異なる外径の案内柱７を準備して、異なる内径の樹脂パイプ１０１に対応可能とすること。
【符号の説明】
【００２２】
１…面取り工具、２…切刃、３…面取り部、４…操作ハンドル、５…軸部、１１…切刃収容部、１０１…パイプ。
【図１】
2019118994.tif 000003
【図２】
2019118994.tif 000004
【図３】
2019118994.tif 000005
【図４】
2019118994.tif 000006
【図５】
2019118994.tif 000007
【図６】
2019118994.tif 000008
【図７】
2019118994.tif 000009
【図８】
2019118994.tif 000010